(57)【要約】【課題】片側のヒンジのみがヒンジトルクを有する情報処理装置において、情報処理装置の大きさを大きくすることなく、簡単な構成で、表示部が情報処理装置本体に重ねられるように閉じたときには表示部と情報処理装置が傷つかず、表示部を情報処理装置本体にロックしたときには左右のスキマをほぼ均一にする情報処理装置を提供することを目的とする。【解決手段】表示部２が、情報処理装置本体１に重ねられるように閉じたときに、ヒンジトルクを有さないヒンジ３ａ側の情報処理装置本体１に設けられたストッパー部７が表示部２に固定されたヒンジカバー５と接触し押圧されることにより、ヒンジトルクを有するヒンジ３ｂ側と同等のバックテンションが加わるようになる。【選択図】図３
2005309564.tif 000002
【特許請求の範囲】
【請求項１】
情報処理装置本体と、前記情報処理装置本体にヒンジ機構により開閉可能に取り付けられた表示部とを備え、前記ヒンジ機構は、前記表示部と前記情報処理装置本体の左右両端近傍に設けられるとともに、前記ヒンジ機構は、前記表示部を任意の角度で保持するためのヒンジトルクを有する第１のヒンジと、ヒンジトルクを有さない第２のヒンジとからなり、前記表示部が前記情報処理装置本体に重ねられるように閉じようとしたときに、前記第２のヒンジ側の前記表示部と前記情報処理装置本体が、前記第１のヒンジ側よりも先に当接する当接部を、前記表示部または前記情報処理装置本体に設けたことを特徴とする情報処理装置。
【請求項２】
第１および第２のヒンジをそれぞれ表示部と情報処理装置本体の最外端へ配置したことを特徴とする請求項１記載の情報処理装置。
【請求項３】
第２のヒンジスペース内をケーブルが挿通することを特徴とする請求項１または請求項２記載の情報処理装置。
【請求項４】
表示部と情報装置本体に、前記表示部が情報処理装置本体に重ねられるように閉じたときに、前記表示部が開かないように保持するロック機構を有することを特徴とする請求項１乃至請求項３記載の情報処理装置。
【請求項５】
表示部が情報処理装置本体に重ねられるように閉じようとしたときに、ヒンジ機構を覆うヒンジカバーを当接部に当接させるとともに、前記ヒンジカバーを、前記表示部または前記情報処理装置本体に設けたことを特徴とする請求項１乃至請求項４記載の情報処理装置。
【請求項６】
当接部が、弾性体であることを特徴とする請求項１記載の情報処理装置。
【請求項７】
当接部を、表示部および情報処理装置本体の両方に備えたことを特徴とする請求項１または請求項６記載の情報処理装置。
【発明の詳細な説明】
【技術分野】
【０００１】
本発明は、ヒンジ機構により表示部を開閉するようにした情報処理装置に関するものである。
【背景技術】
【０００２】
従来、ノート型パソコンなどの情報処理装置では、情報処理装置本体にヒンジ機構によって表示部が開閉可能に取り付けられていた。
【０００３】
図５はそのような従来の一般的な情報処理装置を示すもので、表示部を開いた状態の外観斜視図である。図において、２１は情報処理装置本体、２２は情報処理装置本体２１にヒンジ２４により開閉可能に取り付けられた表示部で、液晶表示装置２３が内蔵されている。ヒンジ２４は情報処理装置本体２１の左右に配置され、情報処理装置本体２１に対して任意の角度にて表示部２２が保持できるようなヒンジトルクを発生させる機構を持っている。また、表示部２２に内蔵されている液晶表示装置２３への信号接続や液晶表示装置２３を明るく表示させるランプ（図示せず）の電力を供給するインバータ回路（図示せず）に対して、情報処理装置本体２１内部の電気回路とケーブル等で接続する必要があるが、これらのケーブルの通路として、ヒンジ２４のさらに外側にスペースを設けたり、ヒンジスペースと同等の専用の通路を設けたりしていた。
【０００４】
しかしながら、このような構成では、ヒンジトルクを発生させる機構に必要とするスペースや部品重量が大きく、近年情報処理装置の携帯性が重視されてきている背景においては、その大きさや重量が問題となっている。この対策として、例えば特許文献１のような可搬型情報処理装置が考えられている。
【０００５】
図６は、この可搬型情報処理装置の正面図および側面図、図７はヒンジ機構部拡大図である。図において、３１は本体上ケース、３２は本体下ケース、３３は液晶表示装置３４を収納した蓋、３５は外部記憶装置で、本体上ケース３１と本体下ケース３２の間に配置されている。また、３６はヒンジ機構で、蓋３３を任意の位置に静止させるための一定の保持トルクを保つ回転ヒンジ３７を有している。
【０００６】
この可搬型情報処理装置において、ヒンジ機構３６を本体上ケース３１の中央部より片側に配置することにより、反対側に外部記憶装置３５を配置している。そして、保持トルクを保つ回転ヒンジ３７は、本体ケースの中央寄りに配置している。
【０００７】
このように、ヒンジスペース以外の部分に外部記憶装置３５を配置するため、可搬型情報処理装置の奥行き寸法を小さくすることができる。また、発明の詳細な説明には記載はないが、図７から、保持トルクを保つ回転ヒンジ３７は１箇所のみと認められるため、可搬型情報処理装置は軽量化される。なお、ケーブルは図示されていない。
【特許文献１】特開平４−１２３２１４号公報
【発明の開示】
【発明が解決しようとする課題】
【０００８】
このような上記従来の情報処理装置においては下記に挙げる課題があった。
【０００９】
ヒンジ機構３６が、片側寄りであり、かつ保持トルクを保つ回転ヒンジ３７は１箇所のみのため、特に液晶表示装置３４を収納した蓋３３が本体上ケース３１に重ねられるように閉じた際に、片側のみのトルクのバックテンションで受けてしまうため、蓋３３を開閉する際の感触が悪かったり、本体上ケース３１に対し蓋３３の先端が傾いたりするため、蓋３３の端と、本体上ケース３１の端があたり、それぞれの筐体同士が傷をつけてしまうなどの不具合が生じる。また、蓋３３が閉じた状態のときの本体上ケース３１との左右のスキマが不均一となったり、蓋３３が閉じられた状態を保持するためのロック機構を設けた場合、ロックが不安定になるといった不具合が発生する。
【００１０】
上記特許文献１には、ロック機構は記載されていないが、ロック機構がなければ、持ち運んだりする際に簡単に表示部が開いてしまう、特に鞄等に収納した際には、開いてしまったところに、たとえば、ペンなどが挟まってしまい、表示部に収納されている液晶表示装置が傷ついてしまうといった不具合が発生する恐れがある。
【００１１】
本発明は、情報処理装置を小型軽量化でき、簡単な構成で、表示部が情報処理装置本体に重ねられるように閉じたときには表示部と情報処理装置が傷つかず、左右のスキマをほぼ均一にすることができ、表示部を情報処理装置本体にロックしたときには安定してロックすることのできる情報処理装置を提供することを目的とする。
【課題を解決するための手段】
【００１２】
この課題を解決するために本発明の情報処理装置は、ヒンジ機構を、表示部と情報処理装置本体の左右両端近傍に設けるとともに、ヒンジ機構は、表示部を任意の角度で保持するためのヒンジトルクを有する第１のヒンジと、ヒンジトルクを有さない第２のヒンジとからなり、表示部または情報処理装置本体のヒンジトルクがない側に、表示部を閉じようとしたときにヒンジトルクがある側とほぼ同一なバックテンションが加わるような当接部を設けたものである。
【００１３】
これにより、小型軽量化を可能にするとともに、表示部を閉じた際には、片側ヒンジのみヒンジトルクがある場合に生じる、バックテンションによるスキマ不均一、および筐体同士を傷つけることがない情報処理装置が得られる。
【発明の効果】
【００１４】
本発明の情報処理装置は、情報処理装置本体と、情報処理装置本体にヒンジ機構により開閉可能に取り付けられた表示部を備え、ヒンジ機構は、表示部と情報処理装置本体の左右両端近傍に設けられるとともに、ヒンジ機構は、表示部を任意の角度で保持するためのヒンジトルクを有する第１のヒンジと、ヒンジトルクを有さない第２のヒンジとからなり、表示部が、情報処理装置本体に重ねられるように閉じようとしたときに、第２のヒンジ側の表示部と情報処理装置本体が第１のヒンジ側よりも先に当接する当接部を表示部または情報処理装置本体に備えたことで、小型軽量化を可能にするとともに、表示部を閉じようとした際に、表示部が傾かず、かつ、情報処理装置本体とのスキマがほぼ均一になり、筐体同士を傷つけることがない情報処理装置が得られる。
【発明を実施するための最良の形態】
【００１５】
以下、本発明の実施の形態を、図面を参照しながら説明する。
【００１６】
（実施の形態１）
図１は、本発明の一実施の形態の情報処理装置を示すもので、図１および図２は表示部を開いた状態の外観斜視図で、図２はヒンジカバーを取り外した状態を示す。図３は表示部を閉じた状態の側面図、図４は表示部を閉じた状態の正面図である。図において、１は情報処理装置本体で、筐体が樹脂や金属（マグネシウム、アルミニウム、亜鉛等）で構成されている。通常、金属の場合は表面に塗装が施される。２は情報処理装置本体１にヒンジ機構３により開閉可能に取り付けられ、回転軸３ｃを中心に回動する表示部で、液晶表示装置４が内蔵されている。ヒンジ機構３は、表示装置を任意の角度で保持させるためのヒンジトルクを有するヒンジ３ａと、表示部２を情報処理装置本体１に開閉可能に保持するが、任意の角度にて保持させるヒンジトルクを有しないヒンジ３ｂとから構成され、それぞれ情報処理装置本体１の最外端に設けられる。なお、図示しないが、ヒンジ３ｂはヒンジトルクを発生するための機構が不要であるため、そのスペースを利用して、表示部２と情報処理装置本体１内部のそれぞれの電気回路を接続するケーブル（図示せず）が挿通している。５はヒンジ３ａおよびヒンジ３ｂを覆うため表示部２に設けられたヒンジカバーで、ネジ６により表示部２の筐体に固定されている。７は情報機器装置本体１に設けられたストッパー部で、ゴム、クッションあるいは、樹脂等で構成されており、表示部２と接触した際、傷つきにくく、相手側も傷つけることのない材料が使用され、硬質の弾性体が望ましい。ストッパー部７は、ヒンジトルクを有しないヒンジ３ｂ側で、かつ、ヒンジ機構３の回転軸３ｃを中心に表示部２を情報処理装置本体１に重なるように閉じようとした際に、表示部２側に当接するように配置されている。そして、表示部２が情報処理装置本体１に重ねられるように閉じたときには、ストッパー部７が表示部２のヒンジカバー５に押圧され、ヒンジトルクがある側とほぼ同一なバックテンションが加わるようになっている。８は情報処理装置本体１側に配置されたロック部であり、表示部２側に設けられたフック部９と係合して表示部２が開かないように保持する構造となっている。図４（ａ）はストッパー部７を設けなかった場合、図４（ｂ）はストッパー部７を設けた場合の情報処理装置本体１と表示部２のスキマの状態を示すもので、１０ａは表示部２を閉じた際の右側のスキマ、１０ｂは表示部２を閉じた際の左側のスキマである。
【００１７】
以上のように構成された本発明の情報処理装置についてその動作を説明する。表示部２は情報処理装置本体１に対してヒンジ機構３の回転軸３ｃを中心に回動し、表示部２が情報処理装置本体１に重なるように閉じようとした際に、通常ならヒンジ３ａのみがヒンジトルクを有するため、ヒンジ３ａ側のみバックテンションが加わり、図４（ａ）に示すように、表示部２を閉めた際のスキマ（１０ａと１０ｂ）が不均一となるが、本実施の形態では、ストッパー部７が表示部２のヒンジカバー５に対して、接触し、押圧されることによる抵抗を有した状態となり、トルクのない側のヒンジ３ｂ側にも前記したバックテンションがほぼ同程度加わるようにした。これらのことにより、表示部２が情報処理装置本体１に重なるように閉じようとした際に、表示部２の傾きが小さくなり、左右の端どちらかが先に情報処理装置本体１と接触してしまうといったことがなくなり、図４（ｂ）に示すように、表示部２を閉めた際のスキマ（１０ａと１０ｂ）をほぼ均一にすることができる。また、表示部２を開閉する際の感触が悪いということもなく、表示部２が閉じられた状態を保持するためのロック機構を設けた場合、ロック部８とフック部９の係合が確実になり、ロックが不安定になるといった不具合も生じない。なお、バックテンションの大きさは、ヒンジ機構３の回転軸３ｃからの距離、筐体表面からの高さ、材料の硬度などの選択により適宜設定することができる。
【００１８】
このように、ヒンジ３ｂはヒンジトルクを有しないため、ヒンジ３ａに比べ軽くなる。従って、情報処理装置をその分軽量化することができる。
【００１９】
また、表示部２と情報処理装置本体１内部のそれぞれの電気回路を接続するケーブルが挿通するスペースを別途設ける必要がないため、情報処理装置をその分小型化することができる。各ヒンジは、それぞれ情報処理装置本体１の最外端に設けられているが、両端の近傍であってもよく、最外端であれば最も小型化が可能である。
【００２０】
なお、本実施の形態では、ストッパー部７を情報処理装置本体側に設けたが、これを表示部２側に設けてもよく、また、表示部２側と情報処理装置本体１側の両方に設けるようにすればそれぞれの高さを低くすることができ、目立たせなくすることができる。
【００２１】
また、本実施の形態では、表示部２に固定されたヒンジカバー５がストッパー部７に当接するようにしたが、表示部２とヒンジカバー５を一体としてもよいし、表示部２のヒンジカバー以外の部分で当接させるようにしてもよい。
【００２２】
また、それぞれ、情報処理装置本体１側にロック部８、表示部２側にフック部９を設けたがこれらの構成が逆になっていても効果は同じであることは言うまでもない。
【産業上の利用可能性】
【００２３】
本発明にかかる情報処理装置は、小型軽量化を可能にするとともに、表示部を閉じようとした際に、表示部が傾かず、かつ、情報処理装置本体とのスキマがほぼ均一になり、筐体同士を傷つけることがないという効果を有し、ヒンジ機構により表示部を開閉するようにした情報処理装置等として有用である。
【図面の簡単な説明】
【００２４】
【図１】本発明の一実施の形態の情報処理装置の表示部を開いた状態の外観斜視図
【図２】本発明の一実施の形態の情報処理装置の表示部を開いた状態の外観斜視図
【図３】本発明の一実施の形態の情報処理装置の表示部を閉じた状態の側面図
【図４】本発明の一実施の形態の情報処理装置の表示部を閉じた状態の正面図
【図５】従来の情報処理装置の表示部を開いた状態の外観斜視図
【図６】従来の可搬型情報処理装置の正面図および側面図
【図７】従来の可搬型情報処理装置のヒンジ機構部拡大図
【符号の説明】
【００２５】
１  情報処理装置本体
２  表示部
３  ヒンジ機構
３ａ  ヒンジ
３ｂ  ヒンジ
３ｃ  回転軸
４  液晶表示装置
５  ヒンジカバー
７  ストッパー部
８  ロック部
９  フック部
１０ａ、１０ｂ  スキマ
【図１】
2005309564.tif 000003
【図２】
2005309564.tif 000004
【図３】
2005309564.tif 000005
【図４】
2005309564.tif 000006
【図５】
2005309564.tif 000007
【図６】
2005309564.tif 000008
【図７】
2005309564.tif 000009